(57)【要約】    【課題】玄関の高さ位置を移動せず所定の高さ位置に天地反転自在で取り付け可能な玄関子機のカメラにて撮像される映像を上下反転させて親機のモニタで正常に出画する。    【解決手段】筐体の一端寄りに配置され、視角が固定若しくはチルト微調整可能なカメラを搭載した玄関子機１を、玄関の高さ位置を移動せず所定の高さ位置に天地反転自在で取り付けて煩雑な工事作業を不要とするばかりでなく、親機２の上下反転切替手段２０４、２０５を使用して、玄関子機のカメラにて撮像される映像を天地反転の有無に応じて上下反転させることにより、親機のモニタ２００に出画される映像を居住者にとって来訪者の識別が容易な視認性の高い正常な映像として確保できる。  【選択図】図２
2006186612.tif 000002
【特許請求の範囲】
【請求項１】
玄関に取り付けられ、筐体の一端寄りに配置され視角が固定若しくはチルト微調整可能な来訪者の映像を撮像するためのカメラ（１０１）を搭載した玄関子機（１）と、住戸内に設置され、前記玄関子機のカメラにて撮像された映像を出画するためのモニタ（２００）を有する親機（２）とを備え、
前記玄関子機は天地反転して前記玄関に取り付け自在であって、前記親機および前記玄関子機のうち少なくとも一方は、天地反転した映像を上下反転して前記モニタで正常に出画させるための上下反転切替手段（２０４、２０５）を備えたことを特徴とするテレビドアホン装置。
【発明の詳細な説明】
【技術分野】
【０００１】
本発明はテレビドアホン装置に係り、特に、玄関の高さ位置を移動せず所定の高さ位置に天地反転自在で取り付け可能な玄関子機を備えたテレビドアホン装置に関する。
【背景技術】
【０００２】
従来から、玄関子機のカメラにて撮像された映像を親機（居室親機と同意である。）のモニタに出画させることができるテレビドアホン装置が開示されている（例えば、非特許文献１を参照。）。
【０００３】
【非特許文献１】アイホン総合カタログ  ２００４／２００５年版（１６頁〜１９頁等）
【発明の開示】
【発明が解決しようとする課題】
【０００４】
しかしながら、従来例のテレビドアホン装置において、玄関子機は玄関の所定の高さ位置、例えば、地表面から１３０ｃｍの高さに取り付けられるため、玄関子機のカメラの撮像範囲内に居る被写体としての来訪者が背丈の低い子供のような場合には、その存在が撮像範囲内に収まらず、図５の説明図に示すように下方向が見切れた映像として親機のモニタに出画される虞があり、この映像をもとに来訪者を識別して応答操作を行う居住者にとっては視認性が低く防犯性も低下していた。
【０００５】
また、前述の難点を解消する手段として、例えば、地表面から１１０ｃｍの高さ位置に玄関子機を取り付けることも可能であるが、この手段を適用するにあたっては、工事作業に煩雑さを有する難点があった。
【０００６】
本発明は、前述の難点を解消するためになされたもので、玄関の高さ位置を移動せず所定の高さ位置に天地反転自在で取り付け可能な玄関子機のカメラにて撮像される映像を上下反転させて親機のモニタで正常に出画することができるテレビドアホン装置を提供することを目的としている。
【課題を解決するための手段】
【０００７】
前述の目的を達成するため、本発明のテレビドアホン装置は、玄関に取り付けられ、筐体の一端寄りに配置され視角が固定若しくはチルト微調整可能な来訪者の映像を撮像するためのカメラを搭載した玄関子機と、住戸内に設置され、玄関子機のカメラにて撮像された映像を出画するためのモニタを有する親機とを備えたものである。玄関子機は天地反転して玄関に取り付け自在であって、親機および玄関子機のうち少なくとも一方は、天地反転した映像を上下反転してモニタで正常に出画させるための上下反転切替手段を備えている。
【発明の効果】
【０００８】
本発明のテレビドアホン装置によれば、筐体の一端寄りに配置され、視角が固定若しくはチルト微調整可能なカメラを搭載した玄関子機を、玄関の高さ位置を移動せず所定の高さ位置に天地反転自在で取り付けることができ、煩雑さを有する工事作業が不要となるばかりでなく、親機の上下反転切替機能を使用して、玄関子機のカメラにて撮像される映像を天地反転の有無に応じて上下反転させることにより、親機のモニタに出画される映像を居住者にとって来訪者の識別が容易な視認性の高い正常な映像として確保できる。
【発明を実施するための最良の形態】
【０００９】
以下、本発明のテレビドアホン装置を適用した最良の実施の形態例について、図面を参照して説明する。
【００１０】
図１は、本発明の実施例によるテレビドアホン装置の構成を示すシステム説明図である。
【００１１】
図１のシステム説明図に示すテレビドアホン装置は、玄関の高さ位置を移動せず所定の高さ位置に天地反転自在で取り付け可能であり、通常、来訪者が住戸内に在室中の居住者を呼び出して通話を成立させるための玄関子機１と、住戸内に設置されており、伝送線路Ｌ1を介して接続された玄関子機１からの呼び出し、すなわち、来訪者からの呼び出しが報知され、この呼び出しに応答した居住者が来訪者との間で通話を成立させるための親機２とを備えている。
【００１２】
玄関子機１は、来訪者が呼出操作を行うための呼出ボタン１００と、当該玄関子機の筐体の一端寄りに配置され、視覚が固定若しくはチルト微調整可能であり、呼出操作を行った来訪者の映像（玄関先の周囲近傍の映像を含む。）を撮像するためのＣＣＤ（Charge Coupled Device）撮像素子、ＣＭＯＳ（Complementary Metal Oxide Semiconductor）撮像素子等のカメラ１０１と、来訪者が居住者との間で通話を成立させるための音声を入出力するマイク（以下、子機マイクという。）１０２およびスピーカ（以下、子機スピーカという。）１０３とを搭載している。
【００１３】
また、親機２は、玄関子機１のカメラ１０１にて撮像された映像を出画するためのＬＣＤ（Liquid Crystal Display）、有機ＥＬ（Electro Luminescence）ディスプレイ等のモニタ２００と、玄関子機１からの呼び出し、すなわち、来訪者からの呼び出しがある旨の呼出音（音声メッセージを含む。）を放音するとともに、居住者が来訪者との間で通話を成立させるにあたり当該来訪者の音声が出力されるスピーカ（以下、親機スピーカという。）２０１と、親機スピーカ２０１とともに居住者が通話を成立させるにあたり音声を入力するためのマイク（以下、親機マイクという。）２０２と、居住者が応答操作を行うための通話ボタン２０３と、モニタ２００への映像の出画を上下反転させるための上下反転切替手段を構成する切替スイッチ２０４とを搭載している。
【００１４】
図２は、本発明の実施例によるテレビドアホン装置において、親機２の具体的な構成を示すブロック図である。
【００１５】
図２のブロック図に示す親機２は、前述のモニタ２００、親機スピーカ２０１、親機マイク２０２、通話ボタン２０３、（上下反転切替手段を構成する）切替スイッチ２０４と、当該親機の構成各部／回路をそれぞれ制御するにあたり、前述の切替スイッチ２０４とともに上下反転切替手段を構成する制御回路２０５と、モニタ２００を駆動させて出画可能な状態に制御するためのモニタ駆動回路２０６と、玄関子機１のカメラ１０１にて撮像された映像であり、信号処理、例えば、ＦＭ変調された映像信号を復調するとともに、必要に応じて上下反転処理するための映像処理回路２０７と、親機マイク２０２および親機スピーカ２０１を介して入出力される音声であり、信号処理された音声信号の通話ラインを形成する、例えば、４線／２線変換または２線／４線変換するための通話回路２０８と、当該親機の構成各部／回路および玄関子機１の構成各部／回路（詳述せず）をそれぞれ動作させるための電源（ＤＣ電源）を生成する電源回路２０９と、制御回路２０５、映像処理回路２０７、通話回路２０８、電源回路２０９と伝送線路Ｌ1との間の信号伝送ライン、電源供給ラインをそれぞれ形成するためのインターフェース（以下、親機Ｉ／Ｆという。）２１０とを有している。
【００１６】
このように構成された本発明の実施例によるテレビドアホン装置において、以下、具体的な動作について説明する。
【００１７】
図３（ａ）の説明図に示すように、玄関子機１を天地反転せずに玄関の所定の高さ位置に取り付けた場合において、玄関に居る来訪者が図１（ａ）のシステム説明図に示す玄関子機１の呼出ボタン１００を操作すると、伝送線路Ｌ1、図２のブロック図に示す親機２の親機Ｉ／Ｆ２１０を介して制御回路２０５へと呼出信号が伝送される。
【００１８】
図２のブロック図に示す親機２の制御回路２０５は、玄関子機１からの呼出信号をもとに来訪者からの呼び出しがあることを検出する。この制御回路２０５は、呼出音（音声メッセージを含む。）を親機スピーカ２０１から放音させるとともに、モニタ駆動回路２０６を制御してモニタ２００を出画可能な状態とし、さらに映像処理回路２０７を能動とするばかりでなく、電源回路２０９を制御して電源（ＤＣ電源）を生成させる。なお、電源回路２０９にて生成された電源（ＤＣ電源）は、当該親機の構成各部／回路をそれぞれ動作させるための動作電源となるばかりでなく、親機Ｉ／Ｆ２１０、伝送線路Ｌ1を介して玄関子機１へと供給され、図１（ａ）のシステム説明図に示す玄関子機１の構成各部／回路（詳述せず）をそれぞれ動作させるための動作電源となる。
【００１９】
図１（ａ）のシステム説明図において、親機２からの電源供給により動作が開始された玄関子機１のカメラ１０１は、呼出操作を行った来訪者の映像（玄関先の周囲近傍の映像を含む。）の撮像を開始する。この映像は、カメラ１０１の固定された視覚、例えば、図３（ａ）の説明図に示すように、水平軸Ｘを基準に上下方向で非対称の角度θ1a、θ1bからなる所定の撮像範囲θ1内で撮像され、信号処理、例えば、ＦＭ変調された映像信号（以下、第１の映像信号という。）として伝送線路Ｌ1、図２のブロック図に示す親機２の親機Ｉ／Ｆ２１０を介して映像処理回路２０７へと伝送される。なお、前述の撮像範囲θ1内における上方向の角度θ1aは、下方向の角度θ1bと比較して大きく、θ1a＞θ1bの関係を有している。
【００２０】
図２のブロック図に示す親機２の映像処理回路２０７は、玄関子機１からの第１の映像信号を信号処理、例えば、復調し、玄関子機１のカメラ１０１にて撮像された図３（ｂ）の説明図に示す映像を、被写体である来訪者の顔画像を中心に上方向の居住者にとって当該来訪者の識別が容易な図３（ｃ）の説明図に示す視認性が高い正常な映像としてモニタ２００に出画させることができる。なお、親機２のモニタ２００に出画される映像は、居住者が親機２にて適宜、チルト操作（詳述せず）を行うことができる。
【００２１】
次に、図４（ａ）の説明図に示すように、玄関子機１を天地反転させて玄関の所定の高さ位置に取り付けた場合において、住戸内に在室中の居住者は、図１（ｂ）のシステム説明図および図２のブロック図に示す親機２の（上下反転切替手段を構成する）切替スイッチ２０４を予め操作しておく。
【００２２】
図１（ｂ）のシステム説明図において、玄関子機１からの呼出信号を検出した親機２の制御回路２０５は、前述の玄関子機１を天地反転せずに玄関に取り付けた場合の動作と同様、呼出音（音声メッセージを含む。）を親機スピーカ２０１から放音させるとともに、モニタ駆動回路２０６を制御してモニタ２００を出画可能な状態とし、さらに電源回路２０９を制御して電源（ＤＣ電源）を生成させるばかりでなく、モニタ２００への後述する映像の出画を上下反転させるように映像処理回路２０７を制御する。
【００２３】
図１（ｂ）のシステム説明図において、親機２からの電源供給により動作が開始された玄関子機１のカメラ１０１は、呼出操作を行った来訪者の映像（玄関先の周囲近傍の映像を含む。）の撮像を開始する。この映像は、カメラ１０１の固定された視覚、例えば、図４（ａ）の説明図に示すように、水平軸Ｘを基準に上下方向で非対称の角度θ1b、θ1aからなる所定の撮像範囲θ1内で天地反転された映像で撮像され、信号処理、例えば、ＦＭ変調された映像信号（以下、第２の映像信号という。）として前述の第１の映像信号と同様な経路を介して図２のブロック図に示す親機２の映像処理回路２０７へと伝送される。  図２のブロック図に示す親機２の映像処理回路２０７は、玄関子機１からの第２の映像信号を復調し、玄関子機１のカメラ１０１にて撮像された図４（ｂ）の説明図に示す天地反転された映像を上下反転し、被写体である来訪者の顔画像を中心に上方向の居住者にとって当該来訪者の識別が容易な図４（ｃ）の説明図に示す視認性が高い正常な映像としてモニタ２００に出画させることができる。なお、親機２のモニタ２００に出画される映像は、居住者が親機２にて適宜、チルト操作（詳述せず）を行うことができる。
【００２４】
次に、図１（ａ）、（ｂ）の各システム説明図において、前述のように親機２のモニタ２００に正常で出画された映像、すなわち、玄関の所定の高さ位置に天地反転自在で取り付けられる玄関子機１のカメラ１０１にて撮像された映像および親機スピーカ２０１から放音された呼出音（音声メッセージを含む。）をもとに、（玄関に居る）来訪者からの呼び出しを当該来訪者の識別と併せて確認した（住戸内に在室中の）居住者が親機２の通話ボタン２０３を操作すると、この応答操作を検出した図２のブロック図に示す制御回路２０５により通話回路２０８が制御され、居住者が使用する親機スピーカ２０１および親機マイク２０２と、通話回路２０８、親機Ｉ／Ｆ２１０、伝送線路Ｌ1、玄関子機１の子機マイク１０２および子機スピーカ１０３との間の通話路が形成され、形成された通話路を介して音声信号を送受信させることにより通話を成立させることができ、特に、居住者にとっては来訪者の映像を確認しながら通話を成立させることができる。
【００２５】
なお、本発明の実施例によれば、前述の上下反転切替手段を親機２に備えた場合について説明したが、これに限定されず、親機２および玄関子機１のうち少なくとも一方に上下反転切替手段が備えられていればよく、例えば、玄関子機１に切替スイッチおよび制御回路を備えることもできる。
【００２６】
また、本発明の実施例によるテレビドアホン装置によれば、（住戸内に在室中の）居住者が応答操作を行うための通話ボタン２０３および上下反転切替手段を構成する切替スイッチ２０４を親機２へと個別に備えたが、これら通話ボタン２０３および切替スイッチ２０４等を有するタッチパネルをモニタ２００の画面上に設けることもできる。
【００２７】
さらに、本発明の実施例によるテレビドアホン装置によれば、（住戸内に在室中の）居住者が（玄関に居る）来訪者との間で通話を成立させるための通話手段として、拡声通話を成立させるための親機スピーカ２０１、親機マイク２０２および通話回路２０８を適用したが、この通話手段に限定されず別途にハンドセットを設け、このハンドセットに通話回路２０８を接続させたハンドセット通話も好適とされ、当該ハンドセット通話を適用するにあたって、通常、親機マイク２０２は不要となる。
【図面の簡単な説明】
【００２８】
【図１】図１は、本発明の実施例によるテレビドアホン装置の構成を示すシステム説明図である。
【図２】図２は、本発明の実施例によるテレビドアホン装置において、親機の具体的な構成を示すブロック図である。
【図３】図３（ａ）は、本発明の実施例によるテレビドアホン装置において、玄関子機を天地反転せずに玄関の所定の高さ位置に取り付けた場合におけるカメラの撮像範囲を示す説明図である。図３（ｂ）、（ｃ）は、本発明の実施例によるテレビドアホン装置において、玄関子機を天地反転せずに玄関の所定の高さ位置に取り付けた場合にカメラにて撮像される映像の一例および親機のモニタに出画される映像の一例をそれぞれ示す説明図である。
【図４】図４（ａ）は、本発明の実施例によるテレビドアホン装置において、玄関子機を天地反転させて玄関の所定の高さ位置に取り付けた場合におけるカメラの撮像範囲を示す説明図である。図４（ｂ）、（ｃ）は、本発明の実施例によるテレビドアホン装置において、玄関子機を天地反転させて玄関の所定の高さ位置に取り付けた場合にカメラにて撮像される映像の一例および親機のモニタに出画される映像の一例をそれぞれ示す説明図である。
【図５】図５は、従来例のテレビドアホン装置において、玄関子機を玄関の所定の高さ位置に取り付けた場合にカメラにて撮像される映像の一例をそれぞれ示す説明図である。
【符号の説明】
【００２９】
１……玄関子機
１０１……カメラ
２……親機
２００……モニタ
２０４……切替スイッチ（上下反転切替手段）
２０５……制御回路（上下反転切替手段）
【図１】
2006186612.tif 000003
【図２】
2006186612.tif 000004
【図３】
2006186612.tif 000005
【図４】
2006186612.tif 000006
【図５】
2006186612.tif 000007